(57)【特許請求の範囲】
【請求項１】
上部に固定クッション要素を設けてなる中空体状の外ケースと、この外ケースの中空部に対して相対的に出し入れ自在な内ケースとを具備してなり、内ケースを、引出位置でその上部に前記外ケースの固定クッション要素に略面一に連続する可動クッション要素を配置してベッド面を形成し、挿入位置でその可動クッション要素を外ケースと干渉しない位置に撤去して外ケース側をベンチとして利用し得るようにしたものであって、
前記外ケースを第１の支持部材を介して床上に移動し得ないように接地させ、前記内ケースを第２の支持部材を介して床上に移動し得るように接地させるとともに、内ケースを引出位置に保持する保持手段を設け、
固定クッション要素と可動クッション要素の間をヒンジ要素を介して連結し、内ケースの挿入位置で可動クッション要素を反転させて固定クッション要素の上面に重合させ得るように構成し、
ヒンジ要素を、ベッド面を形成した状態で固定クッション要素及び可動クッション要素の相隣接する端面の上縁間に位置する部位に設け、
可動クッション要素に、一端側を前記ヒンジ要素を設けた端面と逆側の端部近傍かつ側縁近傍の上面に固定され、他端側を、ベッド面を形成する位置で内ケースの側壁の対応位置に設けた取付部に固定でき、固定クッション要素に重合する位置で外ケースの側壁の対応位置に設けた取付部に固定できるバンド要素を設け、このバンド要素を保持手段の一つとして機能させるようにしていることを特徴とするベッド。
【請求項２】
保持手段が、可動クッション要素を利用して構成されるものであることを特徴とする請求項１記載のベッド。
【請求項３】
保持手段が、内ケースの引出端側に設けられる起立部と、内ケースの引出位置で固定クッション要素と前記起立部の間に介在させて配置される可動クッション要素とからなることを特徴とする請求項２記載のベッド。
【請求項４】
起立部が、内ケースの端部を化粧する壁部であることを特徴とする請求項３記載のベッド。
【請求項５】
ヒンジ要素が、固定クッション要素と可動クッション要素の間を分離可能に連結するスライドファスナであることを特徴とする請求項１、２、３又は４記載のベッド。
【請求項６】
内ケースが、上方に開口する収納部を有するものであり、この収納部を蓋体により閉止した状態で外ケース内に挿入し、或いはその蓋体上に可動クッション要素を配置するようにしていることを特徴とする請求項１、２、３、４又は５記載のベッド。
【請求項７】
内ケースの挿入位置で、第２の支持部材が第１の支持部材よりも引出端側に位置するように設定し、この第２の支持部材を支点に内ケースを外ケースと共に傾倒させることによって、第１の支持部材を浮上させ、それら外ケース及び内ケースを第２の支持部材を介して移動させ得るように構成していることを特徴とする請求項１、２、３、４、５又は６記載のベッド。
【請求項８】
上部に固定クッション要素を設けてなる中空体状の外ケースと、この外ケースの中空部に対して相対的に出し入れ自在な内ケースとを具備してなり、内ケースを、引出位置でその上部に前記外ケースの固定クッション要素に略面一に連続する可動クッション要素を配置してベッド面を形成し、挿入位置でその可動クッション要素を外ケースと干渉しない位置に撤去して外ケース側をベンチとして利用し得るようにしたものであって、
前記外ケースを第１の支持部材を介して床上に移動し得ないように接地させ、前記内ケースを第２の支持部材を介して床上に移動し得るように接地させるとともに、内ケースを引出位置に保持する保持手段を設け、
外ケースが、上壁、底壁、左右の側壁及び後壁から構成され、内側に反後壁側に開口する中空部を有し、さらに前記後壁に移動時に手を掛けることのできる開口を設け、
内ケースの挿入位置で、第２の支持部材が第１の支持部材よりも引出端側に位置するように設定し、前記外ケースの開口に手を掛けて前記後壁を持ち上げこの第２の支持部材を支点に内ケースを外ケースと共に傾倒させることによって、第１の支持部材を浮上させ、それら外ケース及び内ケースを第２の支持部材を介して移動させ得るように構成していることを特徴とするベッド。
【請求項９】
第１の支持部材が、アジャスタであることを特徴とする請求項１、２、３、４、５、６、７又は８記載のベッド。
【請求項１０】
第２の支持部材が、キャスタであることを特徴とする請求項１、２、３、４、５、６、７、８又は９記載のベッド。
【発明の詳細な説明】
【０００１】
【発明の属する技術分野】
本発明は、病院や施設等で病人用ベッドの傍らに設置して利用する場合に特に好適となる簡易形のベッドに関するものである。
【０００２】
【従来の技術】
病室等で付き添い人が宿泊したり休息をとる際に、病人用ベッドの傍らに設置して付き添い人が使用する簡易ベッドとして、従来より折り畳み式のベッドやソファーベッド等が利用されている。この折り畳み式のベッドは、折り畳み可能に構成されたフレームの上面にマットレス等を配置したものであり、不使用時には、中央部で折り畳んで壁際に立て掛けたり、病人用ベッドの下に収納しているものである。
【０００３】
一方、ソファーベッドは、普段はソファーとして病人用ベッドの傍らに常設して使用し、付き添い人が宿泊したり休息を取る場合に、その背もたれ部分を座と略面一になるように倒してベッドとして使用するものである。
【０００４】
【発明が解決しようとする課題】
しかし、従来の折り畳み式のベッドは、フレーム及びマットレスを折り畳む際に片側のフレーム及びマットレスを持ち上げる持ち上げ動作を行わなければならないのが通例であるため、大きな操作力を要し、特に女性や老人が操作する場合に大きな負担を強いるものである。また、ソファーベッドは、座の部分が幅広であり、背もたれを倒してベッドとして使用する場合は勿論、普段ソファーとして使用するときにも、病室において大きなスペースを占有する不具合もある。
【０００５】
以上の問題点を解消するために、近時、上端に固定クッション要素を設けてなる中空体状の外ケースと、この外ケースの中空部に対して相対的に出し入れ自在な内ケースとを具備し、内ケースを、引出位置でその上端に前記外ケースの固定クッション要素に略面一に連続する可動クッション要素を配設してベッド面を形成し、挿入位置でその可動クッション要素を外ケースと干渉しない位置に撤去し得るようにしたものが考えられている。
【０００６】
このような構成を採用すれば、普段は内ケースを外ケースの中空部に挿入し、可動クッション要素を外ケースと干渉しない位置に退避させることによって、コンパクトなベンチとしての利用が可能となり、また、付き添い人が宿泊したり休息をとったりするときには、内ケースを外ケースから引き出し、外ケースの上部に設けられた固定クッション要素と内ケースの上部に設けられた可動クッション要素とを略面一な連続面に展開して簡易ベッドとして有効利用することが可能となる。
【０００７】
ところが、このものは、外ケース及び内ケースを移動容易とするために、それらをキャスタによって床上に移動可能に接地させる構造を採用している。このため、ベッドとして使用する場合にもソファーとして使用する場合にも、不慮にベッドやソファーが動いて極めて使い勝手が悪いという問題がある。
【０００８】
【課題を解決するための手段】
上記の課題を解決するために、本発明は、上記外ケース及び内ケースからなる二重構造を採用するにあたり、内ケースの出し入れ容易性を損なうことなく、ベッドとしてもベンチとしても安定した利用が可能となるベッドを提供しようとするものである。
【０００９】
【発明の実施の形態】
そのために、本発明のベッドは、上部に固定クッション要素を設けてなる中空体状の外ケースと、この外ケースの中空部に対して相対的に出し入れ自在な内ケースとを具備してなり、内ケースを、引出位置でその上部に前記外ケースの固定クッション要素に略面一に連続する可動クッション要素を配置してベッド面を形成し、挿入位置でその可動クッション要素を外ケースと干渉しない位置に撤去して外ケース側をベンチとして利用し得るように構成するに際して、前記外ケースを第１の支持部材を介して床上に移動し得ないように接地させ、前記内ケースを第２の支持部材を介して床上に移動し得るように接地させるとともに、内ケースを引出位置に保持する保持手段を設け、固定クッション要素と可動クッション要素の間をヒンジ要素を介して連結し、内ケースの挿入位置で可動クッション要素を反転させて固定クッション要素の上面に重合させ得るように構成し、ヒンジ要素を、ベッド面を形成した状態で固定クッション要素及び可動クッション要素の相隣接する端面の上縁間に位置する部位に設け、可動クッション要素に、一端側を前記ヒンジ要素を設けた端面と逆側の端部近傍かつ側縁近傍の上面に固定され、他端側を、ベッド面を形成する位置で内ケースの側壁の対応位置に設けた取付部に固定でき、固定クッション要素に重合する位置で外ケースの側壁の対応位置に設けた取付部に固定できるバンド要素を設け、このバンド要素を保持手段の一つとして機能させるようにしていることを特徴とする。
【００１０】
このような構成のものであれば、外ケースは第１の支持部材を介して床上に安定接地されるのに対して、内ケースは第２の支持部材を介して床上を容易に移動可能な状態で接地するので、外ケースに対して挿入位置にある内ケースを、引出位置にまで平易に引き出すことができる。そして、この位置で内ケースを保持手段により保持した状態下に可動クッション要素を配置すると、可動クッション要素はその引出位置にて安定的に支持されることとなる。一方、この位置から保持手段の保持状態を解除すると、内ケースの拘束が解除されるので、内ケースは第２の支持部材の移動性を利用して容易に挿入位置へと移動することができる。そして、この状態で外ケース側をベンチとして利用する際は、荷重は外ケースを介して第１の支持部材に掛かり、第２の支持部材には直接掛からないので、床上に安定接地した状態を維持することができる。
また、固定クッション要素と可動クッション要素の間をヒンジ要素を介して連結し、内ケースの挿入位置で可動クッション要素を反転させて固定クッション要素の上面に重合させ得るように構成しているので、可動クッション要素の撤去を好適に行うことができる。
さらに、ヒンジ要素を、ベッド面を形成した状態で固定クッション要素及び可動クッション要素の相隣接する端面の上縁間に位置する部位に設けているので、ベッドとしての使用状態をより安定したものにすることができる。
加えて、可動クッション要素に、ベッド面を形成する位置で内ケースに固定でき、固定クッション要素に重合する位置で外ケースに固定できるバンド要素を設け、このバンド要素を保持手段の一つとして機能させるようにしているので、可動クッション要素が所定位置で不安定な状態となることを簡単に防止することができる。
【００１１】
保持手段の好ましい態様としては、それが可動クッション要素を利用して構成されているもの、具体的には、内ケースの引出端側に設けられる起立部と、内ケースの引出位置で固定クッション要素と前記起立部の間に介在させて配置される可動クッション要素とから構成されているものが挙げられる。
起立部の好適な具体例としては、この起立部が内ケースの端部を化粧する壁部であるものが挙げられる。
【００１２】
ベンチとしての座面高さを調節できるようにするためには、ヒンジ要素が、固定クッション要素と可動クッション要素の間を分離可能に連結するスライドファスナであることが望ましい。
【００１３】
このベッドの機能をより充実したものにするためには、内ケースが、上方に開口する収納部を有するものであり、この収納部を蓋体により閉止した状態で外ケース内に挿入し、或いはその蓋体上に可動クッション要素を配置するようにしていることが望ましい。
このベッド全体を容易に移動させ得るようにするためには、内ケースの挿入位置で、第２の支持部材が第１の支持部材よりも引出端側に位置するように設定し、この第２の支持部材を支点に内ケースを外ケースと共に傾倒させることによって、第１の支持部材を浮上させ、それら外ケース及び内ケースを第２の支持部材を介して移動させ得るように構成していることが好ましい。
【００１４】
このベッド全体を容易に移動させ得るようにするために望ましい本発明の他の実施態様の一例として、上部に固定クッション要素を設けてなる中空体状の外ケースと、この外ケースの中空部に対して相対的に出し入れ自在な内ケースとを具備してなり、内ケースを、引出位置でその上部に前記外ケースの固定クッション要素に略面一に連続する可動クッション要素を配置してベッド面を形成し、挿入位置でその可動クッション要素を外ケースと干渉しない位置に撤去して外ケース側をベンチとして利用し得るようにしたものであって、前記外ケースを第１の支持部材を介して床上に移動し得ないように接地させ、前記内ケースを第２の支持部材を介して床上に移動し得るように接地させるとともに、内ケースを引出位置に保持する保持手段を設け、外ケースが、上壁、底壁、左右の側壁及び後壁から構成され、内側に反後壁側に開口する中空部を有し、さらに前記後壁に移動時に手を掛けることのできる開口を設け、内ケースの挿入位置で、第２の支持部材が第１の支持部材よりも引出端側に位置するように設定し、前記外ケースの開口に手を掛けて前記後壁を持ち上げこの第２の支持部材を支点に内ケースを外ケースと共に傾倒させることによって、第１の支持部材を浮上させ、それら外ケース及び内ケースを第２の支持部材を介して移動させ得るように構成していることを特徴とするものが挙げられる。
【００１５】
第１の支持部材にはアジャスタを採用することが好適であり、第２の支持部材にはキャスタを採用することが好適である。
【００１６】
【実施例】
以下、本発明の一実施例を、図面を参照して説明する。
図１及び図２に示す本実施例のベッドは、主に病室等で付き添い人の利用に供するために病人用ベッドの傍らに設置して利用されるもので、上部に固定クッション要素３を設けてなる外ケース１と、この外ケース１に対して相対的に出し入れ自在な内ケース２とを具備している。そして、内ケース２を、図１に示す引出位置Ｐでその上部に前記外ケース１の固定クッション要素３に略面一に連続する可動クッション要素４を配置してベッド面を形成し、図２に示す挿入位置Ｑで可動クッション要素４を外ケース１と干渉しない位置に撤去して外ケース１側をベンチとして利用し得るようにしている。
【００１７】
具体的に説明すると、外ケース１は、図１〜図６に示すように、上壁１０、底壁１１、左右の側壁１２及び後壁１３から構成され、内側に反後壁側に開口する中空部１ａを有するもので、側壁１２及び後壁１３の上端に固定クッション要素３を固定している。後壁１３の上端には、ベッドとして使用するときにヘッドレストとして使用可能なクッション材１４を備え、また後壁１３の面板部の下縁近傍に後述する移動時に手を掛けることのできる長円状の開口１３ａを設けている。なお、この外ケース１は、四隅下面を第１の支持部材であるアジャスタ５を介して床Ｆ上に移動し得ないように接地されている。
【００１８】
一方、内ケース２は、底壁２１、左右の側壁２２、後壁２３及び前壁２４から構成され、内部に上方に開口する収納部２ａを形成したものであり、前壁２４以外の部分を前記外ケース１の中空部１ａに挿入し、その挿入位置で前壁２４を外ケース１の上壁１０、底壁１１及び左右の側壁１２の対応する端面に突き当たる位置に配置できるようにしていると共に、前壁２４の下縁に設けた切欠２４ａに手を掛けて引き出すことにより、完全に外ケース１から抜ける手前の所定引出位置Ｐで適宜のストッパ機構によって停止させられるようにしている。このストッパ機構も、内ケース２を所定の引出位置Ｐに保持するための本発明の保持手段を構成するものである。そして、この内ケース２の収納部２ａに、着脱可能に蓋体２０を設けている。蓋体２０は、前記側壁２２の内側に一段低い上面２５ａを形成する内板２５を配置してその上面２５ａに支持させるように取り付けられるもので、取付位置で蓋体２０の上面が側壁２２、後壁２３及び前壁２４の各々の上面と略面一となるように設定されている。この蓋体２０の面板部において中央から長手方向へ変位した位置には、図７に示すように閉止状態にある蓋体２０を引き出すための取手として利用可能な開口２０ａが設けてある。なお、この内ケース２は、引出し端側に設けた第２の支持部材である一対のキャスタ６を介して床Ｆ上に移動し得るように支持されている。このキャスタ６は、図３に示す内ケース２の挿入位置でアジャスタ５よりも引出端側に位置するように設定してあり、前記外ケース１の開口１３に手を掛けてこのキャスタ６を支点に内ケース２を外ケース１と共に図７に示すように傾倒させることによって、アジャスタ５を浮上させ、それら外ケース１及び内ケース２をキャスタ６を介して移動させ得るようにしている。
【００１９】
そして、この内ケース２の上部に、可動クッション要素４を配置している。可動クッション要素４は、固定クッション要素３よりも若干厚肉且つ固定クッション要素３の略半分程度の広さを有する分割部４ａを２つ連ねて構成され、ベッド面を形成した状態で内ケース２の蓋体２０上に設置されるもので、この可動クッション要素４と前記固定クッション要素１の相隣接する端面４１、３１の上縁４１ａ、３１ａ間をヒンジ要素であるスライドファスナ８を介して連結している。可動クッション要素４を構成する分割部４ａ同士も、ベッド面を形成する状態でその相隣接する端面の上縁間をファスナや縫製等による適宜のヒンジ要素４ｂによって連結してある。そして、内ケース２の引出端側に設けてある化粧用の前壁２４を本発明の起立部として利用して、内ケース２の引出位置Ｐで、この可動クッション要素４をその前壁２４と固定クッション要素３との間に差し込むように介在させて取り付けることによって、固定クッション要素１３と共にその上面に略連続したベッド面を形成し得るようにしている。また、この位置から前記スライドファスナ８を支点に可動クッション要素４を回転させれば、反転状態で前記固定クッション要素３の上面に重合配置することが可能である。なお、この可動クッション要素４のうち、引出端側に位置する分割部４ａには、バンド要素４０が設けてある。このバンド要素４０は、一端側を分割部４ａの側縁近傍の上面に固定され、他端側の表裏にそれぞれボダンを設けたもので、このバンド要素４０のボタンをベッド面を形成する位置で内ケース２の側壁２２の対応位置に設けた取付部２２ａに固定でき、固定クッション要素３に重合する位置で外ケース１の側壁１２の対応位置に設けた取付部１２ａに固定できるようにして、両位置における可動クッション要素４の固定のための手段として共用している。このバンド要素４０も、本発明の保持手段を構成するものである。
【００２０】
以上のように、本実施例のベッドは、外ケース１に内ケース２を出し入れ自在にして選択的にベッド又はベンチとして利用できるように構成するに際して、外ケース１を第１の支持部材であるアジャスタ５を介して床Ｆ上に移動し得ないように接地させ、内ケース２を第２の支持部材であるキャスタ６を介して床Ｆ上に移動し得るように接地させるととともに、内ケース２を引出位置Ｐに保持する保持手段を構成するようにしたものである。
【００２１】
このため、外ケース１は第１の支持部材であるアジャスタ５を介して床Ｆ上に安定接地されるのに対して、内ケース２は第２の支持部材であるキャスタ６を介して床Ｆ上を容易に移動可能な状態で接地して、外ケース１に対して挿入位置にある内ケース２を、引出位置にまで平易に引き出すことができる。そして、この位置で可動クッション要素４を配置すると、内ケース２は再び外ケース１内に挿入される方向へ挙動する事が禁止されるので、結果的に内ケース２はその引出位置Ｐに安定設置されることとなる。一方、この位置から可動クッション要素４を撤去すると、内ケース２の拘束が解除されるので、内ケース２は第２の支持部材であるキャスタ６の移動性によって容易に挿入位置へと移動することができる。そして、この状態で外ケース１側をベンチとして利用する際には、荷重は外ケース１を介して第１の支持部材であるアジャスタ５に掛かり、第２の支持部材であるキャスタ６には直接掛からないので、このベンチが床Ｆ上に安定接地した状態を有効に維持することができる。
【００２２】
このようにして、本実施例のベッドは、内ケース２をキャスタ６を介して床Ｆ上を円滑に移動させながら外ケース１に対して容易に出し入れすることができ、付き添い人に軽快な操作性を付与することができると同時に、このような良好な操作性を取り入れても、ベットとしての利用時にはアジャスタ５の接地機能及び可動クッション要素４を利用した保持手段の戻り防止機能によって安定した設置状態を確保することができ、またベンチとしての利用時にはアジャスタ５に上載荷重を支持させることによってやはり安定した使用状態を確保することが可能となる。
【００２３】
また、この実施例の保持手段は、可動クッション要素４を利用して構成されているため、別段のロック機構等を不要にすることができる。特に、保持手段を、内ケース２の引出端側に設けられる起立部たる前壁２４と、内ケース２の引出位置Ｐで固定クッション要素３と前記前壁２４の間に介在させて配置される可動クッション要素４とから構成しているため、可動クッション要素４を配置するだけで直ちにそのような保持手段を構成することができる。したがって、部品点数の増加を防ぐだけでなく、煩雑な操作も一切不要にすることができる。加えて、起立部が内ケース２の端部を化粧する前壁２４であるため、更に構造の簡素化を促進することができる。
【００２４】
特に、この実施例のものは、固定クッション要素３と可動クッション要素４の間をヒンジ要素であるスライドファスナ８を介して連結し、内ケース２の挿入位置で可動クッション要素４を反転させて固定クッション要素３の上面に重合させ得るように構成しているため、可動クッション要素４をベンチの座面として有効利用することができ、且つ撤去した可動クッション要素４を収納しておくための収納スペースを別途に確保することを不要にすることができる。特に、ベンチとして使用する際は荷重が一か所に集中作用するため、より良好なクッション性が要求されることとなるが、本実施例によれば両クッション要素３、４を重合させることによって好適なクッション性を確保することができる。
【００２５】
この場合、ヒンジ要素であるスライドファスナ８を、ベッド面を形成した状態で固定クッション要素３及び可動クッション要素４の相隣接する端面３１、４１の上縁３１ａ、４１ａ間に位置する部位に設けているため、万一内ケース２に挿入位置に向かう外力が作用し、両クッション要素３、４がスライドファスナ８を支点にして山折り状態に折れ曲がろうとしても、それらクッション要素３、４の相隣接する端面３１、４１間が突き当たってそれを阻止することとなる。このため、ベッドとしての利用時における安定性をより有効に高めることができる。このような作用効果は、可動クッション要素４の分割部４ａ間を連結するヒンジ要素４ｂが同様の位置にあることによっても同様に奏されるものである。特に、両分割部４ａ間がこの位置で連結されていると、ベンチとして使用する際にヒンジ要素４ｂが逆に両分割部４ａの隣接端面の下縁間に位置することとなるため、各々の分割部４ａに人が着座した際に、ヒンジ要素４ｂに引っ張り力が作用して破断することを有効に防止することができる。
【００２６】
また、上記のように、ヒンジ要素に固定クッション要素３と可動クッション要素４の間を分離可能に連結するスライドファスナ８を採用しているため、ベンチとして利用する際に座面が高すぎるような場合には、スライドファスナ８を外して可動クッション要素４を分離させることで、固定クッション要素３に直接着座して使用することもできるので、ベンチとしての座面高さに有効な選択性を持たせることができる。
【００２７】
さらに、可動クッション要素４に、ベッド面を形成する位置で内ケース２に固定でき、固定クッション要素３に重合する位置で外ケース１に固定できるバンド要素４０を設けているので、可動クッション要素４が所定位置で不安定な状態となることを簡単な構成で有効に防止することができる。
更にまた、内ケース２を、収納部２ａを備えたものにし、この収納部２ａを蓋体２０で閉止して外ケース１内に挿入し、或いは蓋体２０上に可動クッション要素４を配置するようにしているため、ベッドの支持強度を損なうことなしに有効な収納機能を付与することができ、狭い病室等における空間利用効率をより効果的に高めることができる。
【００２８】
加えて、内ケース２の挿入位置で、第２の支持部材であるキャスタ６を第１の支持部材であるアジャスタ５よりも引出端側に位置させ、そのキャスタ６を支点に内ケース２を外ケース１と共に傾倒させて、外ケース１及び内ケース２をキャスタ６のみで支持するようにしているため、開口に手を掛けてベッド全体を容易に移動させることができ、しかも床Ｆからキャスタ６に掛かる反力は、内ケース２を外ケース１内に押し込む方向に作用するので、内ケース２と外ケース１の間を別段の機構を用いてロックせずとも、内ケース２が外ケース１から飛び出す事を有効に防止することができる。
【００２９】
さらに、本実施例は上記のように、第１の支持部材にアジャスタ５を採用し、第２の支持部材にキャスタ６を採用しているため、簡素な構成で上記の効果を的確に奏させることができる。
なお、各部の具体的な構成は、図示実施例のものに限定されるものではなく、本発明の趣旨を逸脱しない範囲で種々変形が可能である。例えば、上記実施例では、撤去した可動クッション要素を反転させて固定クッション要素に重合させるようにしているが、可動クッション要素を固定クッション要素とは全く分離して構成して、ベンチとして使用する際にこの可動クッション要素を固定クッション要素の後端側に背もたれ的に立て掛けておくようにすること等もできる。また、可動クッション要素は、必要がなければバンド要素で固定しなくともよい。さらに、保持手段は、可動クッション要素を用いたもの以外に、ラッチ機構等を用いて構成したものであってもよい。あるいは、単に内ケース上に可動クッション要素を配置するだけであっても、使用時の荷重による内ケースと可動クッション要素の間の摩擦を保持手段として利用する事もできる。また、保持手段による保持位置は、必ずしも内ケースが外ケースから抜け出る手前の位置である必要はなく、内ケースに自立性があれば、完全に抜けた位置を引出位置として設定することもできる。
【００３０】
【発明の効果】
本発明は、以上説明したような形態で実施され、以下に記載される効果を奏する。
すなわち、本発明のベッドは、外ケースに内ケースを出し入れ自在にして選択的にベッド又はベンチとして利用できるように構成するに際して、外ケースを第１の支持部材を介して床上に移動し得ないように接地させ、内ケースを第２の支持部材を介して床上に移動し得るように接地させるととともに、内ケースを保持手段によって選択的に引出位置に保持するようにしたものである。
【００３１】
このため、内ケースを第２の支持部材を介して床上を円滑に移動させながら外ケースに対して容易に出し入れすることができ、付き添い人に軽快な操作性を付与することができると同時に、このような良好な操作性を取り入れても、ベットとしての利用時は第１の支持部材の接地機能及び保持手段による戻り防止機能によって、またベンチとしての利用時は第１の支持部材の接地機能によって、それぞれ安定した使用状態を確保することが可能となる。
【００３２】
また、固定クッション要素と可動クッション要素の間をヒンジ要素を介して連結し、内ケースの挿入位置で可動クッション要素を反転させて固定クッション要素の上面に重合させ得るように構成しているので、可動クッション要素をベンチの座面として有効利用することができ、撤去した可動クッション要素を収納しておくための収納スペースを別途に確保することも不要にすることができる。
【００３３】
さらに、ヒンジ要素を、ベッド面を形成した状態で固定クッション要素及び可動クッション要素の相隣接する端面の上縁間に位置する部位に設けているので、万一内ケースに挿入位置に向かう外力が作用し、両クッション要素がヒンジ要素を支点にして山折り状態に折れ曲がろうとしても、それらクッション要素の相隣接する端面間が突き当たってそれを阻止することとなる。このため、ベッドとしての利用時における安定性をより有効に高めることができる。
【００３４】
加えて、可動クッション要素に、一端側を前記ヒンジ要素を設けた端面と逆側の端部近傍かつ側縁近傍の上面に固定され、他端側を、ベッド面を形成する位置で内ケースの側壁の対応位置に設けた取付部に固定でき、固定クッション要素に重合する位置で外ケースの側壁の対応位置に設けた取付部に固定できるバンド要素を設けているので、可動クッション要素が所定位置で不安定な状態となることを簡単な構成で有効に防止することができる。
【００３５】
保持手段を、可動クッション要素を利用して構成すれば、別段のロック機構等を不要にすることができる。特に、保持手段を、内ケースの引出端側に設けられる起立部と、内ケースの引出位置で固定クッション要素と前記起立部の間に介在させて配置される可動クッション要素とから構成すれば、可動クッション要素を配置するだけで直ちにそのような保持手段を構成することができる。この起立部に、内ケースの端部を化粧する壁部を用いれば、更に構造の簡素化を促進することができる。
【００３６】
ヒンジ要素に、固定クッション要素と可動クッション要素の間を分離可能に連結するスライドファスナを採用しておけば、ベンチとして利用する際に座面が高すぎる場合には、スライドファスナを外して可動クッション要素を分離させることにより、固定クッション要素に着座して使用することもできるので、ベンチとしての座面高さに有効な選択性を持たせることができる。
内ケースを、収納部を備えたものにし、この収納部を蓋体で閉止して外ケース内に挿入し、或いは蓋体上に可動クッション要素を配置するようにすれば、ベッドの支持強度を損なうことなしに有効な収納機能を付与することができ、狭い病室等における空間利用効率をより効果的に高めることができる。
【００３７】
内ケースの挿入位置で、第２の支持部材を第１の支持部材よりも引出端側に位置させ、この第２の支持部材を支点に内ケースを外ケースと共に傾倒させて、外ケース及び内ケースを第２の支持部材のみで支持させるようにすれば、ベッド全体を容易に移動させることができ、しかも床から第２の支持部材に掛かる反力は内ケースを外ケース内に押し込む方向に作用するので、内ケースと外ケースの間を別段ロックせずとも、内ケースが外ケースから飛び出す事を有効に防止することができる。
【００３８】
第１の支持部材にアジャスタを採用したり、第２の支持部材にキャスタを採用した場合には、簡素な構成で上記の効果を的確に奏させることができる。
【図面の簡単な説明】
【図１】本発明の一実施例をベッドに展開した状態で示す斜視図。
【図２】同実施例を折り畳んでベンチにした状態で示す斜視図。
【図３】図２に対応した側面図。
【図４】同前面図。
【図５】図３におけるＶ−Ｖ線断面図。
【図６】同実施例の分解斜視図。
【図７】同実施例における内ケースの内部を示す斜視図。
【図８】同実施例の移動時の取扱方法を説明するための図。
【符号の説明】
１…外ケース
１ａ…中空部
２…内ケース
２ａ…収納部
３…固定クッション要素
４…可動クッション要素
５…第１の支持部材（アジャスタ）
６…第２の支持部材（キャスタ）
８…ヒンジ要素（スライドファスナ）
２０…蓋体
２４…起立部（前壁）
３１、４１…端面
３１ａ、４１ａ…上縁
４０…バンド要素
Ｆ…床
Ｐ…引出位置
Ｑ…挿入位置
【図１】
0003565110.tif 000002
【図２】
0003565110.tif 000003
【図３】
0003565110.tif 000004
【図４】
0003565110.tif 000005
【図５】
0003565110.tif 000006
【図６】
0003565110.tif 000007
【図７】
0003565110.tif 000008
【図８】
0003565110.tif 000009